(57)【要約】【課題】配信を望まない特定の画像を除外した配信画像を生成して、容易かつ的確に通信端末が閲覧可能になることにある。【解決手段】予め定めた操作パネル７０を表示する操作パネル表示レイヤ８１と、操作パネル７０以外の画像を表示する１又は複数の手書き画像レイヤ８２、８３…とを重畳して形成した表示画像、及び操作パネル表示レイヤ８１が除外されて形成され表示画像と異なる配信画像を生成する画像生成部１４０と、表示画像を表示する画像表示装置５０と、を備え、配信画像をネットワーク経由で通信端末２０に配信する映像配信サービス２００とを備え、表示画像を電子黒板１０の画像表示装置５０に表示し、配信画像を通信端末２０に表示する。【選択図】図３
2016212844.tif 000002
【特許請求の範囲】
【請求項１】
通信端末が閲覧可能な画像を生成する表示装置であって、
特定画像を表示する特定レイヤと前記特定画像以外の画像を表示する１又は複数の他レイヤとを重畳して形成した表示画像、及び前記特定レイヤを除外して形成した他レイヤのみから成る配信画像を生成する画像生成手段を備えることを特徴とする表示装置。
【請求項２】
前記画像生成手段は、前記他レイヤのうち所望の他レイヤを重畳して前記配信画像を形成することを特徴とする請求項１に記載の表示装置。
【請求項３】
前記他レイヤとして選択できる１又は複数の配信レイヤを予め格納した画像格納手段と、
外部からの指示に基づいて前記画像格納手段が格納した前記配信レイヤのうち任意の配信レイヤを前記他レイヤとして選択する選択手段と、を備えることを特徴とする請求項１に記載の表示装置。
【請求項４】
前記配信画像を前記通信端末に配信する配信手段を備えることを特徴とする請求項１乃至３の何れか一項に記載の表示装置。
【請求項５】
前記配信画像を公開するウェブサーバ部を備えることを特徴とする請求項１乃至３の何れか一項に記載の表示装置。
【請求項６】
前記画像格納手段に任意の画像を前記配信レイヤとして登録する登録手段を備えることを特徴とする請求項３に記載の表示装置。
【請求項７】
請求項１乃至６の何れか一項に記載の表示装置と、
前記表示装置にネットワークを介して接続され、前記配信画像を受信して表示する通信端末と、
を備えることを特徴とする表示システム。
【発明の詳細な説明】
【技術分野】
【０００１】
本発明は表示装置、及び表示システムに関する。
【背景技術】
【０００２】
近年、表示装置として、電子ホワイトボード（インタラクティブホワイトボード：Interactive White board（ＩＷＢ））等の電子黒板が広く使用されている。この電子黒板は、液晶パネル等のフラットパネルを用いた画像表示装置と、画像表示装置の表示面における入力用の物体、例えば入力ペンあるいは指が接触した位置の座標を検知するタッチパネルなどの座標検知装置と、座標検知装置から出力された座標データに基づいて画像表示装置の表示面に書き込まれた各種画像、文字、数字、又は図形を含む画像を表示させる制御装置とを組み合わせた構成を備える。この電子黒板では、会議資料等を拡大表示できる他、入力ペン又は指で表示面に書き込みを行える。
【０００３】
また、表示システムとして、社内ＬＡＮ等のネットワークにより上述した電子黒板と、パーソナルコンピュータ（ＰＣ）やタブレットコンピュータ等の通信端末（クライアント端末）とを接続した電子黒板システムがある。この電子黒板システムでは、電子黒板上に表示される画像又は描画された書き込み映像を通信端末に圧縮して配信し、通信端末から電子黒板の画像を閲覧することができる。
【０００４】
特許文献１には、電子黒板で生成されたコンテンツの画像データを通信端末に送信する技術として、画像データの一部を切り出し、切り出された画像データを送信するためのデータに変換し、変換されたデータを通信端末に送信することが記載されている。
【発明の概要】
【発明が解決しようとする課題】
【０００５】
しかし、従来の電子黒板システムでは、電子黒板が生成した画像を全て配信することを前提としているため、画像上に配信したくない領域が含まれていたとしても、そのまま通信端末に画像が配信されてしまう。また、配信を望まない画像の領域を除外するために、画像をトリミングして配信するとこともできるが、除外したい領域が透過している場合には、除外した領域の下に表示された画像も失われた状態で配信されてしまう。更に、除外したい領域が表示装置の状態に応じて動的に変わり得る場合には、領域の指定が困難である。
特許文献１に記載の技術は、画像データの一部を切り出すものであり、生成された画像が失われるという問題、及び除外領域が可変の場合に領域指定が難しいという問題は解消されていない。
【０００６】
本発明は、上記に鑑みてなされたもので、その目的は、配信を望まない特定の画像を除外した配信画像を生成して、容易かつ的確に通信端末が閲覧可能になることにある。
【課題を解決するための手段】
【０００７】
上記課題を解決するため、請求項１記載の発明は、通信端末が閲覧可能な画像を生成する表示装置であって、特定画像を表示する特定レイヤと前記特定画像以外の画像を表示する１又は複数の他レイヤとを重畳して形成した表示画像、及び前記特定レイヤを除外して形成した他レイヤのみから成る配信画像を生成する画像生成手段を備えることを特徴とする。
【発明の効果】
【０００８】
本発明によれば、配信を望まない特定の画像を除外した配信画像を生成して、容易かつ的確に通信端末が閲覧可能になることができる。
【図面の簡単な説明】
【０００９】
【図１】本発明の第１実施形態及び第２実施形態に係る電子黒板システムの構成を示すブロック図である。
【図２】本発明の第１実施形態に係る電子黒板システムに使用する電子黒板のハードウエア構成を示す構成図である。
【図３】電子黒板システムに使用する電子黒板の機能ブロック図である。
【図４】電子黒板における表示画面を示す図である。
【図５】電子黒板における表示画面のレイヤを示す図である。
【図６】電子黒板システムに使用する通信端末の機能ブロック図である。
【図７】電子黒板システムにおける配信画像の生成及び配信の手順を示す図である。
【図８】第１実施形態の変形例の通信端末における表示画面を示す図である。
【図９】第２実施形態に係る電子黒板システムに使用する電子黒板の機能ブロック図である。
【図１０】第２実施形態における電子黒板の表示画面示す図である。
【図１１】第２実施形態における電子黒板の表示画面と通信端末の表示画面を示す図である。
【図１２】電子黒板システムにおける一時配信画像の選択を示す図である。
【図１３】電子黒板システムにおける一時配信画像の配信を行ったときの電子黒板と通信端末の表示画面を示す図である。
【図１４】電子黒板システムにおける一時配信画像の配信手順を示す図である。
【図１５】電子黒板のフレーム出力部が配信画像を取得する手順を示すフローチャートである。
【発明を実施するための形態】
【００１０】
以下、本発明を図面に示した実施形態により詳細に説明する。本発明は、配信を望まない特定の画像を除外した所望の画像を容易かつ的確に通信端末に配信するため以下の構成を備える。なお、以下に説明する実施形態において、表示装置として電子黒板を、表示システムとして電子黒板と通信端末とを通信ネットワークで接続した電子黒板システムを例として説明する。
【００１１】
＜第１実施形態＞
まず、本発明の第１実施形態に係る電子黒板について説明する。
図１は本発明の第１実施形態に係る電子黒板システムの構成を示すブロック図である。本実施形態に係る電子黒板システム１は、電子黒板１０と、この電子黒板１０に無線ＬＡＮ（local area network）で接続された複数の通信端末２０（２０−１、２０−２、…、２０−ｎ）とで構成される。無線ＬＡＮは、例えば社内ネットワークにおいて使用される。なお、電子黒板１０と、通信端末２０との接続は無線ＬＡＮに限らず、有線ＬＡＮ、インターネット等、有線、無線を問わず各種の通信ネットワークを使用できる。
【００１２】
電子黒板１０は、アプリケーション１００と、映像配信サービス２００と、画像表示装置５０とを備える。
通信端末２０は、ノート型パーソナルコンピュータ、タブレット型コンピュータ等であり、各種のＯＳ（Operating System）、例えば、ｉＯＳ、Ａｎｄｒｏｉｄ（登録商標）、ｗｉｎｄｏｗ（登録商標）、ｍａｃＯＳ（登録商標）に基づいて動作する。通信端末２０はそれぞれ画像表示部を備える。
【００１３】
図２は本発明の第１実施形態に係る電子黒板システムに使用する電子黒板のハードウエア構成を示す構成図である。
電子黒板１０は、ＣＰＵ（Central Processing Unit）５０１、ＲＯＭ（Read Only Memory）５０２、ＲＡＭ（Random Access Memory）５０３、ＨＤＤ（Hard Disc Drive）５０４、ＨＤＣ(Hard Disk Controller)５０５、メディアドライブ５０７、画像表示インターフェース（I/F）装置５０８、インターフェース（I/F）５０９、キーボード５１１、マウス５１２、マイク５１３、スピーカ５１４、ＧＰＵ(Graphics Processing Unit)５１５、タッチパネル５１９を拡張バスライン５２０で接続して構成される。
【００１４】
ＣＰＵ５０１は、電子黒板１０全体の動作を制御する。Ｒ０Ｍ５０２は、ＩＰＬ（Initial Program Loader）等のＣＰＵ５０１の駆動に用いられるプログラムを記憶している。ＲＯＭ５０３は、ＣＰＵ５０１のワークエリアとして使用される。ＨＤＤ５０４は、プログラム等の各種データを記憶している。ＨＤＣ５０５は、ＣＰＵ５０１の制御にしたがってＨＤＤ５０４に対する各種データの読み出し又は書き込みを制御する。メディアドライブ５０７は、フラッシュメモリ等の記録メディア５０６に対するデータの読み出し又は書き込み（記憶）を制御する。画像表示インターフェース５０８は、各種情報を表示する画像表示装置５０への接続を行う。Ｉ／Ｆ５０９は、通信ネットワークを介してデータの送信や、ドングルの接続を行う。ＧＰＵ５１５には、ＧＰＵ５１５の駆動に用いられるプログラムを記憶したＲＯＭ５１６、ＧＰＵ５１５のワークエリアとして使用されるＲＡＭ５１７が接続されている。拡張バスライン５２０は、各構成要素を電気的に接続するためのアドレスバス又はデータバス等を備える。また、タッチパネル５１９は、入力ペン又は指の画像表示装置５０における接触位置の座標を検出する。
【００１５】
このような構成を備える電子黒板１０は、ＣＰＵ５０１で所定の画像配信ソフトウエアを実行して、アプリケーション１００とアプリケーション１００で生成された複数の画像を映像として配信する映像配信サービス２００を実現する。
【００１６】
アプリケーション１００は、画像表示装置５０への入力ペン又は指によるストロークの書き込みや、ページの操作であるタッチパネル５１９で検出し、タッチパネル５１９で検出された操作イベントに基づいて画像表示装置５０にストローク等を描画する。そして、アプリケーション１００は、通信端末２０に配信する画像（配信画像）と、画像表示装置５０に表示する画像（表示画像）を出力し、配信画像を映像配信サービス２００に配信する（ステップＳ１）。映像配信サービス２００は、アプリケーション１００の描画結果である複数の画像を圧縮し、通信端末２０に配信する（ステップＳ２）。この例では、１台の電子黒板１０から複数（ｎ台）の通信端末２０−１、２０−２、…、２０−ｎに同時に配信がなされる。
【００１７】
一方、各通信端末２０は、電子黒板１０から取得した画像を表示部に表示する。また、通信端末２０は、表示部に表示された画像に対してタッチ操作又はマウス操作を行い、映像への描画を行える。このタッチ操作又はマウス操作等の操作情報は電子黒板１０の映像配信サービス２００に送信され（ステップＳ３）、更に、映像配信サービス２００から操作情報がアプリケーション１００に送信される（ステップＳ４）。
【００１８】
次に電子黒板システム１における電子黒板１０の機能構成について説明する。
図３は電子黒板システムに使用する電子黒板の機能ブロック図である。電子黒板１０は、アプリケーション１００と、映像配信サービス２００とを備える。
アプリケーション１００は、映像配信サービス２００と連携してユーザーに機能を提供するものである。アプリケーション１００は、機能実行部１１０と、アプリケーション入出力部１２０と、フレーム出力部１３０と、画像生成手段である画像生成部１４０と、操作受付部１５０と、表示制御部１６０とを備える。
【００１９】
機能実行部１１０は、電子黒板固有の機能を実行するモジュールである。アプリケーション入出力部１２０は、配信サービス入出力部２１０が出力したデータ、例えば操作イベントを受信する。また、機能実行部１１０は、受信したデータを機能実行部１１０が処理できる形式に変換して配信する。更に、機能実行部１１０は、配信サービス入出力部２１０へサービス開始、停止等のデータを送信する。
フレーム出力部１３０は、映像として通信端末２０に配信する画像を出力する。例えばＲＧＢビットマップである画像を、Ｈ．２６４／ＡＶＣ形式で圧縮した映像として出力する。
【００２０】
画像生成部１４０は、画像表示装置５０に表示される表示画像と、通信端末２０に配信される配信画像とを生成する。
操作受付部１５０は、タッチパネル５１９で検出された入力ペン又は指の座標に基づいて書き込み等の操作を受け付ける。
表示制御部１６０は、画像生成部１４０で生成された表示画像を画像表示装置５０に表示する。これにより、画像表示装置５０には、操作パネルの画像と電子黒板の画像とが重畳して表示される。
画像生成部１４０で生成された画像は、配信画像としてフレーム出力部１３０に出力される。フレーム出力部１３０に出力された映像配信サービス２００の画像はキャプチャ部２７０によってキャプチャされ、通信端末２０に配信される。
【００２１】
また、通信端末２０から操作を受け付ける場合は、通信端末２０からの操作情報が映像配信サービス２００の配信サービス入出力部２１０を経由してアプリケーション入出力部１２０に入力され、機能実行部１１０に伝送されて同様に処理される。
【００２２】
映像配信サービス２００は、電子黒板１における電子黒板１０側のモジュールの総称である。映像配信サービス２００は、図３に示すように、配信サービス入出力部２１０と、配信制御部２２０と、配信情報管理部２３０と、通信制御部２４０と、映像エンコーダー部２５０とを備える。配信制御部２２０、配信情報管理部２３０及び通信制御部２４０は、配信モジュール２８０を構成し、映像エンコーダー部２５０はコーデックモジュール２９０を構成する。
【００２３】
配信サービス入出力部２１０は、アプリケーション入出力部１２０から出力されるデータ（例えば、サービスの開始、停止データ等）を受信する。また、配信サービス入出力部２１０は、アプリケーション入出力部１２０に操作イベント等のデータを送信する。配信情報管理部２３０は、画像の配信に関する映像エンコードの設定、接続中の通信端末２０の情報を管理する。通信制御部２４０は、通信手段として機能し、画像の配信に関する全体の制御、コーデックモジュール２９０の起動又は終了の指示を行う。
映像エンコーダー部２５０は、キャプチャ部２７０から画像を取得し、圧縮処理を行うことで圧縮データを生成する。キャプチャ部２７０は、アプリケーション１００のフレーム出力部１３０から出力されるフレーム画像を取得する。
【００２４】
次に画像生成部１４０で生成される表示画像と配信画像とについて説明する。
図４は電子黒板における表示画面を示した図である。電子黒板１０の画像表示装置５０には、取得した画像又は手書き画像６０の他に、画像の横に操作パネル７０が表示されている。手書き画像６０には、ストローク画像６１及び「Ｗｈｉｔｅｂｏａｒｄ  Ａｐｐｌｉｃａｔｉｏｎ」の文字６２が描かれている。また、操作パネル７０は複数のアイコンで構成されており、操作受付部１５０が入力ペンによるペンアイコン７１の選択を検知することによって機能実行部１１０で書き込み時の色が変更される。
【００２５】
このような状態で、手書き画像６０と操作パネル７０とを含む画像を通信端末２０に配信して表示すると、通信端末２０の利用者は、表示された操作パネル７０によって手書き画像６０を操作できるものと誤認してしまう。
本実施形態にあっては、電子黒板１０は、操作パネル７０を除外した画像を生成し、手書き画像６０のみ通信端末２０に配信する。なお、操作パネル７０の他、画像表示装置５０の下部に表示されるサムネイル等も除外対象とすることができる。この除外対象は、通信端末２０の仕様等により定めることができる。
【００２６】
図５は電子黒板における表示画面のレイヤを示す図である。
図５に示すように、操作パネル７０は、操作パネル表示レイヤ８１に表示され、ストローク画像６１及び文字６２はそれぞれ手書き画像レイヤ８２、８３に表示されている。なお、手書き画像レイヤは、この二つのレイヤに限られず所望のものを選択して重畳できる。ここで画像表示装置５０に表示される操作パネル７０は特定画像であり、操作パネル表示レイヤ８１は特定レイヤである。また、ストローク画像６１及び文字６２は特定画像以外の画像であり、手書き画像レイヤ８２、８３は他レイヤである。
そして、表示画像は、画像生成部１４０が、操作パネル表示レイヤ８１と、手書き画像レイヤ８２、８３とを重畳して形成する。また、配信画像は、画像生成部１４０が、手書き画像レイヤ８２、８３を重畳して形成する。即ち、配信画像は、表示画像から操作パネル表示レイヤ８１を除外した画像である。
なお、手書き画像レイヤが複数あるときは、画像生成部１４０は、指定された所望の手書き画像レイヤを重ね合わせて形成することができる。
各レイヤには、レイヤを区別するＩＤや、メタデータを付しておくことで、配信画像の対象とするかどうかを判別することができる。
【００２７】
次に通信端末２０について説明する。
図６は画像処理システムに使用する電子処理端末の機能ブロック図である。通信端末２０は、ＧＵＩ部３１０と、通信情報管理部３２０と、全体制御部３３０と、通信制御部３４０と、再生制御部３５０と、映像デコーダー部３６０と、画像表示部３７０とを備える。
ＧＵＩ部３１０は、通信端末２０の画像表示部３７０にユーザーインターフェース（ＵＩ）を表示する。全体制御部３３０は通信の開始、切断指示などの全体の制御を行う。通信情報管理部３２０は、配信に関する情報、例えば、映像エンコードの設定を保持する。通信制御部３４０は、電子黒板１０との通信制御、電子黒板１０の映像配信サービス２００とデータの送受信を行う。再生制御部３５０は、圧縮データを映像デコーダー部３６０に投入する。映像デコーダー部３６０は、圧縮データをデコードして画像表示部３７０に画像を表示する。画像表示部３７０は、液晶画像表示パネルで構成され、ＧＵＩ部３１０から出力される画像に基づいてＧＵＩを表示すると共に、映像デコーダー部３６０からの画像に基づいて配信画像を表示する。
【００２８】
以下電子黒板システム１における処理の流れについて説明する。図７は電子黒板システムにおける配信画像の生成及び配信の手順を示す図である。
アプリケーション１００の画像生成部１４０は、電子黒板１０の画像表示装置５０に表示するための操作パネル表示レイヤ８１を含む全てのレイヤを重畳して表示画像を生成して、表示制御部１６０に送信する（ステップＳ１１）。
また、画像生成部１４０は同時に操作パネル表示レイヤ８１を含まない配信画像を生成し、フレーム出力部１３０に出力する（ステップＳ１２）。
【００２９】
映像配信サービス２００のキャプチャ部２７０は、フレーム出力部１３０に出力された画像をキャプチャして取得する（ステップＳ１３）。キャプチャした画像をコーデックモジュール２９０に送信する（ステップＳ１４）。コーデックモジュール２９０は映像エンコーダー部２５０で画像を圧縮して圧縮データを生成し、配信モジュール２８０に送信する（ステップＳ１５）。
配信モジュール２８０は、圧縮データを通信端末２０に送信し（ステップＳ１６）、これを通信端末２０は映像デコーダー部３６０でデコードし、ＧＵＩ部３１０に操作パネルが除外された配信画像を表示する。
【００３０】
以上の処理により、通信端末２０には、操作パネル表示レイヤ８１を除外した、手書き画像レイヤ８２、８３から形成された配信画像が表示される。
なお、配信画像は、複数の手書き画像レイヤ８２、８３…から所望のものを選択して配信することができる。
これにより、通信端末２０に配信される配信画像から操作パネルを除外して、通信端末２０の利用者が操作パネルから電子黒板を操作できると勘違いすることを防止できる。
【００３１】
次に第１実施形態の変形例について説明する。
図８は第１実施形態の変形例に係る電子黒板システムにおける通信端末の表示画面を示す図である。
通信端末２０が閲覧だけを可能とするものであれば、通信端末２０の画像表示部３７０に表示されるのは操作パネルのない手書き画像だけでよい。しかし、通信端末によっては手書きの色を変更する、拡大表示する等、いくつかの機能を使用できることが望まれる。
そこで、本例では、通信端末２０に独自の操作パネル３０を表示できるものとする。操作パネル３０は例えば、ペン書きアイコン３１、拡大表示アイコン３２、テキスト入力アイコン３３を含むことができる。
このように通信端末２０に独自の操作パネル３０を表示することにより、通信端末２０の種類によって最適な操作パネルを設置することが可能となる。例えば通信端末２０が、キーボード付の通信端末であるときには、テキスト入力アイコン３３を指定することにより表示部へのテキスト入力が容易にできる。
【００３２】
＜第２実施形態＞
次に本発明の第２実施形態に係る電子黒板システムについて説明する。
第２実施形態に係る電子黒板システム１Ａは、図１に示すように、電子黒板１０Ａと、通信端末２０とで構成される。
本実施形態に係る電子黒板システム１Ａにおいて、電子黒板１０Ａは、通信端末２０に送信される画像として、手書き画像の他、外部からの指示、例えば電子黒板１０Ａの操作者の指示に基づいて、予め定めた画像を選択して配信画像として通信端末２０に配信することができる。
【００３３】
図１に示すように、電子黒板システム１Ａは、電子黒板１０Ａと、この電子黒板１０Ａに無線ＬＡＮで接続された複数の通信端末２０（２０−１、２０−２、…、２０−ｎ）とで構成される。無線ＬＡＮは例えば社内ネットワークにおいて使用される。
また、電子黒板１０Ａは、アプリケーション１００Ａと、映像配信サービス２００と、画像表示装置５０とを備える。通信端末２０は第１実施形態のものと同じである。更に、電子黒板１０Ａは、第１実施形態に係る電子黒板１０と同様に図２に示すハードウエア構成を備える。
【００３４】
図９は第２実施形態に係る電子黒板システムに使用する電子黒板の機能ブロック図である。電子黒板１０Ａは、アプリケーション１００Ａと、映像配信サービス２００とを備える。
【００３５】
アプリケーション１００Ａは、画像格納手段として不揮発性記憶部１７０を備える他、第１実施形態のアプリケーション１００と同じ構成である。即ち、アプリケーション１００Ａは、不揮発性記憶部１７０の他、機能実行部１１０、アプリケーション入出力部１２０、フレーム出力部１３０、画像生成部１４０、操作受付部１５０、表示制御部１６０を備える。不揮発性記憶部１７０は、他レイヤとして選択できる１又は複数の配信レイヤを予め格納している。
電子黒板システム１Ａで使用される通信端末２０は、第１実施形態に係る電子黒板システム１で使用されるものと同じ構成を備える（図６参照）。
【００３６】
図１０は第２実施形態における電子黒板の表示画面を示す図である。電子黒板システム１の画像表示装置５０には、ストローク画像６１、文字６２等を表示する手書き画像６０と、操作パネル７０Ａとが表示されている。手書き画像６０の構成は第１実施形態のものと同じである。
操作パネル７０Ａは複数の機能アイコンを備える。本実施形態では、操作パネル７０Ａには、不揮発性記憶部１７０に格納されているメッセージを表示する１又は複数の配信レイヤから一つのレイヤを指定して配信画像として配信するためのメッセージ配信アイコン７２を備える。
【００３７】
図１１は第２実施形態における電子黒板の表示画面と通信端末の表示画面とを示す図である。図１１において、電子黒板１０Ａの画像表示装置５０には、手書き画像６０と操作パネル７０Ａとが表示されている。また、通信端末２０（２０−１〜２０−４）には、手書き画像６０が配信画像として配信され、画像表示部に手書き画像６０が表示されている。この状態は、第１実施形態の表示と同じであり、この手書き画像６０の配信手順は、図７に示した第１実施形態の場合と同じである。
【００３８】
次に、通信端末２０に配信画像として不揮発性記憶部１７０に格納された画像を配信する場合について説明する。
電子黒板システム１Ａを教育分野で使用する場合を想定する。教師は、電子黒板１０Ａを用いて資料の提示又は書き込みを実施して説明をする。生徒は、タブレット端末等の通信端末２０を使用しており、通信端末２０の画面上で電子黒板の画像を閲覧し、必要に応じて通信端末２０から手書き情報を入力する。
このとき、生徒は通信端末２０の画面で手書き画像６０を閲覧できるため、通信端末２０に注目している。ここで教師が生徒に前を向いて注目させたいとき、電子黒板１０Ａの画像表示装置５０に表示された画像を変えることなく通信端末２０に所望のメッセージ又はや画像を表示できるようできることが望まれる。
【００３９】
本実施形態では、電子黒板１０Ａの操作パネル７０Ａにおいて、メッセージ配信アイコン７２を指定することにより、不揮発性記憶部１７０に格納された画像から必要な画像を選択して通信端末２０に送信できる。
図１２は電子黒板システムにおける一時配信画像の選択を示す図、図１３は電子黒板システムにおける一時配信画像の配信を行ったときの電子黒板と通信端末との表示画面を示す図である。
これらは通信端末２０への表示画面の一例である。メッセージ配信アイコン７２を選択すると、図１２に示すように、通信端末２０に配信することができる一時配信画像の一覧９０が表示される。
この例では「Ｌｏｏｋ  Ｆｏｒｗａｒｄ！」を表示する画像９１、「注目！」を表示する画像９２、「作業中」を表示する画像９３、「休憩〜１６：００」を表示する画像９４、からなる４種類の画像が選択可能に表示され、この４つの一時配信画像の中から１つを選択する。これらの一時配信画像は、不揮発性記憶部１７０にそれぞれ一時配信レイヤとして保存される。これら一時配信レイヤから、機能実行部１１０を選択手段として、任意のレイヤを選択して画像生成部１４０で配信画像として通信端末２０に配信する。
【００４０】
一時配信画像を配信すると、図１３に示すように、全ての通信端末２０（２０−１〜２０−４）には手書き画像６０に代えて選択した一時配信画像（この例では「Ｌｏｏｋ  Ｆｏｒｗａｒｄ！」の画像９１）が表示される。なお、不揮発性記憶部１７０には、電子黒板上から自由に一時画像を追加できるようにする。
このような一時配信画像が表示されることにより、各生徒を、通信端末２０ではなく、電子黒板１０Ａに注目させることができる。この状態を一時配信画の配信中とすると、一時配信画像の配信中においては通信端末からの操作を禁止することができる。なお、電子黒板１０Ａの操作パネル７０Ａのメッセージアイコンを再び選択することにより、一時配信画像の配信中の状態を終了し、通信端末２０には、手書き画像６０が再び配信される。
【００４１】
次にこの一時配信画像の配信手順について説明する。
図１４は電子黒板システムにおける一時配信画像の配信手順を示す図である。アプリケーション１００Ａの画像生成部１４０は、電子黒板１０Ａの画像表示装置５０に表示するための表示画像を生成し表示制御部１６０に送信する（ステップＳ２１）。フレーム出力部１３０は不揮発性記憶部１７０から選択された一時配信画像を取得する（ステップＳ２２）。次いで、配信情報管理部２３０は、キャプチャ部２７０に一時配信画像を送り（ステップＳ２３）、キャプチャ部２７０は、コーデックモジュール２９０に一時配信画像を送信する（ステップＳ２４）。コーデックモジュール２９０は一時配信画像を圧縮して一時圧縮データを配信モジュール２８０に送信する（ステップＳ２５）。配信モジュール２８０は、通信端末２０に一時圧縮データを配信し（ステップＳ２６）、一時圧縮データを映像配信サービス２００の映像デコーダー部３６０でデコードし、画像表示部３７０に一時表示画像を表示する。
【００４２】
次に、電子黒板１０Ａのフレーム出力部１３０が配信画像及び一時配信画像を取得する手順について説明する。図１５は電子黒板のフレーム出力部が配信画像を取得する手順を示すフローチャートである。
フレーム出力部１３０は、一時配信画像を配信しているかを判断する（ステップＳ３１）。一時配信画像を配信しない通常時（ステップＳ３１のＮｏ）には画像生成部１４０から手書き画像６０を配信画像として取得し（ステップＳ３２）フレーム出力部１３０に送出する。
一方、一時配信画像を配信中のとき（ステップＳ３１のＹｅｓ）は不揮発性記憶部１７０から選択された一時配信画像を取得する（ステップＳ３３）。
【００４３】
以上のように、第２実施形態に係る電子黒板システム１Ａによれば、必要に応じて、一時配信画像を通信端末２０に配信できる。
【００４４】
なお、電子黒板１０、１０Ａにウェブサーバ部を備えることができる。これにより、通信端末２０においては、ウェブブラウザーを使用してフレーム出力部１３０からの画像を閲覧できる。
【００４５】
＜本発明の実施態様例の構成、作用、効果＞
＜第１態様＞
本態様の電子黒板１０は、通信端末２０が閲覧可能な画像を生成する電子黒板１０であって、操作パネル７０を表示する操作パネル表示レイヤ８１と、操作パネル７０以外の画像を表示する１又は複数の手書き画像レイヤ８２、８３…とを重畳して形成した表示画像、及び操作パネル表示レイヤ８１を除外して形成した他レイヤのみから成る配信画像を生成する画像生成部１４０を備えることを特徴とする。
本形態によれば、画像生成部１４０は、操作パネル表示レイヤ８１、手書き画像レイヤ８２、８３…から生成した表示画像と、手書き画像レイヤ８２、８３…から生成した配信画像を生成する。このため、配信を望まない特定の画像を除外した配信画像を生成して、容易かつ的確に通信端末２０が閲覧可能になることができる。
【００４６】
＜第２態様＞
本態様は、電子黒板１０の画像生成部１４０は、手書き画像レイヤ８２、８３…のうち所望の他レイヤを重畳して配信画像を形成することを特徴とする。
本形態によれば、画像生成部１４０は、操作パネル表示レイヤ８１、手書き画像レイヤ８２、８３…から表示画像を生成する。このため、配信を望まない特定の画像を除外した配信画像を生成し、容易かつ的確に通信端末２０が閲覧可能になることができる。
【００４７】
＜第３態様＞
本態様は、他レイヤとして選択できる１又は複数の一時配信レイヤを予め格納した不揮発性記憶部１７０と、操作パネル７０Ａのメッセージ配信アイコン７２からの指示に基づいて不揮発性記憶部１７０に格納された配信レイヤのうち任意の配信レイヤを他レイヤとして選択する選択手段と、を備えることを特徴とする。
本形態によれば、画像生成部１４０は外部からの指示により、不揮発性記憶部１７０に格納された一時配信レイヤから任意のものを選択して配信画像とする。このため、電子黒板１０Ａは、任意のタイミングで通信端末２０に一時配信画像を配信できる。
【００４８】
＜第４態様＞
本態様は、電子黒板１０、１０Ａは、配信画像を通信端末２０に配信する映像配信サービス２００を備えることを特徴とする。
本形態によれば、映像配信サービス２００は、電子黒板１０、１０Ａから配信画像を通信端末２０に配信できる。このため、通信端末２０では、電子黒板１０、１０Ａからの配信画像を表示できる。
【００４９】
＜第５態様＞
本態様は、電子黒板１０は、配信画像を公開するウェブサーバ部を備えることを特徴とする。
本形態によれば、通信端末２０はウェブブラウザーを使用して電子黒板１０の配信画像をウェブサーバ部から取得できる。このため、通信端末２０は容易に配信画像を表示できる。
【００５０】
＜第６態様＞
本態様は、不揮発性記憶部１７０に任意の画像を配信レイヤとして登録する登録手段を備えることを特徴とする。
本形態によれば、電子黒板１０Ａは任意の画像を不揮発性記憶部１７０に登録できる。このため、さまざまな画像を通信端末２０に一時配信画像として配信できる。
【００５１】
＜第７態様＞
本態様は、電子黒板１０、１０Ａと、電子黒板１０、１０Ａにネットワークを介して接続され、配信画像が配信され、表示される通信端末２０と、を備えることを特徴とする電子黒板システム１、１Ａである。
本形態によれば、電子黒板１０、１０Ａは、画像生成部１４０において、操作パネル表示レイヤ８１、手書き画像レイヤ８２、８３…から生成した表示画像と、手書き画像レイヤ８２、８３…から生成された配信画像を通信端末２０に配信する。このため、配信を望まない操作パネル７０の画像を除外した配信画像を生成し、容易かつ的確に通信端末２０が閲覧可能になることができる。
【符号の説明】
【００５２】
１，１Ａ…電子黒板システム、１０，１０Ａ…電子黒板、２０…通信端末、１００、１００Ａ…アプリケーション、１１０…機能実行部、１２０…アプリケーション入出力部、１３０…フレーム出力部、１４０…画像生成部、１５０…操作受付部、１６０…表示制御部、１７０…不揮発性記憶部、２００…映像配信サービス
【先行技術文献】
【特許文献】
【００５３】
【特許文献１】特開２０１４−１９９６５０公報
【図１】
2016212844.tif 000003
【図２】
2016212844.tif 000004
【図３】
2016212844.tif 000005
【図４】
2016212844.tif 000006
【図５】
2016212844.tif 000007
【図６】
2016212844.tif 000008
【図７】
2016212844.tif 000009
【図８】
2016212844.tif 000010
【図９】
2016212844.tif 000011
【図１０】
2016212844.tif 000012
【図１１】
2016212844.tif 000013
【図１２】
2016212844.tif 000014
【図１３】
2016212844.tif 000015
【図１４】
2016212844.tif 000016
【図１５】
2016212844.tif 000017